(57)【要約】【課題】ＡＭラジオ放送を受信する場合などにおける電磁波妨害を極力軽減できるプラズマディスプレイ装置及びその電磁波妨害軽減方法を提供する。を提供する。【解決手段】プラズマディスプレイパネル２０を維持駆動させるための駆動パルスを発生する駆動パルス発生手段（駆動パルス発生回路２１）を備えたプラズマディスプレイ装置１である。駆動パルス発生手段（駆動パルス発生回路２１）により発生する駆動パルスの周波数（維持駆動周波数）を、予め定められた複数種類の周波数のうち何れかに設定する制御を行う周波数設定制御手段（駆動パルス発生回路２１）を備える。【選択図】    図１
2004333809.tif 000002
【特許請求の範囲】
【請求項１】
プラズマディスプレイパネルを維持駆動させるための駆動パルスを発生する駆動パルス発生手段を備えたプラズマディスプレイ装置において、
前記駆動パルス発生手段により発生する駆動パルスの周波数を、予め定められた複数種類の周波数のうち何れかに設定する制御を行う周波数設定制御手段を備えることを特徴とするプラズマディスプレイ装置。
【請求項２】
前記複数種類の周波数の駆動パルスを前記駆動パルス発生手段によりそれぞれ発生するのに必要な情報を記憶したパルス発生用情報記憶手段を更に備え、
前記駆動パルス発生手段は、前記パルス発生用情報記憶手段の記憶内容に基づき、何れかの周波数で駆動パルスを発生することを特徴とする請求項１に記載のプラズマディスプレイ装置。
【請求項３】
前記パルス発生用情報記憶手段には、当該プラズマディスプレイ装置の使用地域に応じてそれぞれ適切な周波数で駆動パルスを発生するのに必要な情報が記憶されていることを特徴とする請求項２に記載のプラズマディスプレイ装置。
【請求項４】
前記適切な周波数は、該当する地域において中波或いは短波ラジオ放送波への電磁波妨害を軽減できるような周波数であることを特徴とする請求項３に記載のプラズマディスプレイ装置。
【請求項５】
前記適切な周波数は、使用地域を特定するために当該プラズマディスプレイ装置に入力される地域情報と対応付けられ、
前記周波数設定制御手段は、
前記地域情報が入力された場合に、該入力された地域情報と対応する周波数に設定する制御を行うことを特徴とする請求項３又は４に記載のプラズマディスプレイ装置。
【請求項６】
前記地域情報の入力操作を行うための入力操作手段を更に備えることを特徴とする請求項５に記載のプラズマディスプレイ装置。
【請求項７】
前記入力操作手段は、前記入力操作を無線リモコン操作で行うための無線リモコン入力操作手段を備えて構成されていることを特徴とする請求項６に記載のプラズマディスプレイ装置。
【請求項８】
駆動パルスの周波数の設定操作を行うための設定操作手段を更に備え、
前記周波数設定制御手段は、
前記設定操作に応じて周波数の設定制御を行うことを特徴とする請求項１乃至４のいずれか一項に記載のプラズマディスプレイ装置。
【請求項９】
前記設定操作手段は、前記設定操作を行うための操作スイッチを備えて構成されていることを特徴とする請求項８に記載のプラズマディスプレイ装置。
【請求項１０】
前記設定操作手段は、前記設定操作を無線リモコン操作で行うための無線リモコン設定操作手段を備えて構成されていることを特徴とする請求項８に記載のプラズマディスプレイ装置。
【請求項１１】
プラズマディスプレイパネルを維持駆動させるための駆動パルスを発生する駆動パルス発生手段を備えたプラズマディスプレイ装置による電磁波妨害を軽減するための方法であって、
前記駆動パルス発生手段により発生する駆動パルスの周波数を、予め定められた複数種類の周波数のうち、前記電磁波妨害を軽減可能な周波数に設定することを特徴とする電磁波妨害軽減方法。
【請求項１２】
前記駆動パルスの周波数の設定を、該周波数の高調波による中波或いは短波ラジオ放送波への電磁波妨害が軽減されるように行うことを特徴とする請求項１１に記載の電磁波妨害軽減方法。
【請求項１３】
前記電磁波妨害を軽減できるような周波数を、地域ごとに予め求めておき、該求めておいた周波数の中から、前記プラズマディスプレイ装置の使用地域に応じて適切な周波数を選択して設定することを特徴とする請求項１２に記載の電磁波妨害軽減方法。
【発明の詳細な説明】
【０００１】
【発明の属する技術分野】
本発明は、プラズマディスプレイ装置及びその電磁波妨害軽減方法に関する。
【０００２】
【従来の技術】
プラズマディスプレイ装置は、ガス放電によって発生した紫外線により蛍光体を励起発光させて表示動作を行う表示装置であり、駆動電源にＡＣ（Ａｌｔｅｒｎａｔｉｎｇ  Ｃｕｒｒｅｎｔ）を利用するＡＣ型とＤＣ（Ｄｉｒｅｃｔ  Ｃｕｒｒｅｎｔ）を利用するＤＣ型とに分類できる。
【０００３】
このうちＡＣ型は、輝度及び発光効率の点でＤＣ型よりも優れている他に、構造が比較的簡単で大画面化が容易であるため、広く採用されている。
【０００４】
このＡＣ型プラズマディスプレイ装置の中でも、特に、３電極面放電型のＡＣ型プラズマディスプレイパネルを備えるタイプのものは長寿命化を図ることができるため広く採用されている。
【０００５】
ここで、３電極面放電型ＡＣ型プラズマディスプレイパネルは、例えば図６に示すように、前面基板における背面基板との対向面には、１表示行を構成する維持電極（共通電極ともいう）１０１と走査電極１０２とから成る行電極対が形成されている一方で、この行電極対と直交するような列電極（アドレス電極或いはデータ電極ともいう）（図示略）が背面基板に形成されていて、この列電極及び走査電極１０２を駆動電圧により駆動することにより、発光（表示）すべき表示セル１０３を選択するための書き込み放電を行い、さらに走査電極１０２及び維持電極１０１を駆動電圧により駆動することにより、選択した表示セル１０３の面放電による維持放電を行うように構成されている。
【０００６】
このような３電極面放電型ＡＣ型プラズマディスプレイパネルの場合は、前面基板における面放電時に発生する高エネルギーのイオンが背面基板に形成した蛍光体を衝撃して劣化させることがないので、長寿命化を図ることができる。
【０００７】
３電極面放電型ＡＣ型プラズマディスプレイパネルにおいては、維持放電（発光放電）の際には、すなわち維持駆動期間には、該パネル全面の維持電極１０１と走査電極１０２との間に数百ＫＨｚの高周波パルス（駆動パルス）を加えて放電させている。
【０００８】
ここで、３電極面放電型ＡＣ型プラズマディスプレイパネルの場合、維持電極１０１と走査電極１０２とは、それぞれ当該パネルの一方の側においてバス電極１０４を介して維持電極１０１相互間及び走査電極１０２相互間で接続されている。
【０００９】
このため維持駆動および発光放電による電流は、パネル全面において、常に左右いずれかの方向に一斉に流れる。このようなパネルを駆動するプラズマディスプレイ装置は、例えば図７に示すような断面構造となっている。
【００１０】
図７に示すように、プラズマディスプレイパネル１１０の背面には、左右一対の駆動回路、すなわち、第１駆動回路１１１及び第２駆動回路１１２が設けられ、これら第１駆動回路１１１及び第２駆動回路１１２とパネル１１０との間にはＧＮＤプレート１１３が介装されている。
【００１１】
このような構造のプラズマディスプレイパネル１１０において、維持駆動および発光放電の際には、第１駆動回路１１１、ＧＮＤプレート１１３、第２駆動回路１１２及びプラズマディスプレイパネル１１０を結ぶルートで、正逆の何れか一方向に電流が流れる。すなわち、維持駆動および発光放電の際には、このルートの電流ループ１１５が形成され、この電流ループ１１５によりループ状アンテナが構成される。
【００１２】
そして、このループ状アンテナに広帯域の周波数成分を持った電流が流れることにより、非常に強力で広帯域な電磁放射が発生する。
【００１３】
従って、プラズマディスプレイ装置を製品とするには、その外周に電磁シールド構造を形成することにより、この不利益な電磁放射を軽減する必要がある。
【００１４】
ここで、特に中波帯の比較的低い周波数に注目すると、ループ状アンテナのループ総延長は、そのような低周波の波長よりも充分に小さい。このため、ループ状アンテナに高周波電流が流れて発生する電磁放射は、磁界源成分（漏洩磁束）としての性質を帯びることになる。この漏洩磁束は、発光放電を行わせるためのパルス（駆動パルス）によって発生するものが最も強力である。
【００１５】
一方、プラズマディスプレイ装置はその製品外形が薄型であることが大きな特長とされているため、この電磁シールド構造は電磁放射源のごく近傍に設置される必要がある。ところが、磁界源に対するシールドは、対象周波数が低いほど、また電磁シールド構造と電磁放射源とが近接するほど、より困難なものになることはよく知られており、この電磁シールド構造には非常に優れた特性が要求される。仮に、このように優れた特性の電磁シールド構造を実現するとすれば、透磁率が高く、充分な厚みを有する金属を用いる必要があるが、このように重厚な電磁シールド構造を備えるプラズマディスプレイ装置は、大重量となり著しく商品価値を損なうため実用的でない。
【００１６】
また特に、パネル表示部前面に装着される光学フィルタは、光透過性能と磁気シールド特性との両立を要求され、たいへん高価なものとなってしまう。
【００１７】
このような事情により、実用的なプラズマディスプレイ装置は、中波帯周波数においてその漏洩磁束は充分に軽減されてはいないのが現実である。
【００１８】
ところが、一般に、中波帯ラジオ放送を受信するいわゆるＡＭラジオは、フェライトを用いたバーアンテナによって受信感度を得られるような構成となっているため、電界よりも磁束の誘導を受けやすい。このため、このような構成のＡＭラジオで放送を聴取しようとする場合に、その放送の受信周波数が、近傍で動作しているプラズマディスプレイ装置の維持駆動周波数のいずれかの高調波に一致、あるいは近接していると、強力な電磁波妨害を受け、正常に聴取できなくなることが考えられる。
【００１９】
すなわち、プラズマディスプレイ装置の駆動により生じる高調波によって、中波帯ラジオ放送の受信（及び聴取）に対する電磁波妨害が生じる可能性がある。
【００２０】
このような電磁波妨害は、１つの住戸内で発生するだけではなく、例えば集合住宅などにおいては、プラズマディスプレイ装置を使用している住戸の近接住戸においても発生する可能性もある。
【００２１】
近年、プラズマディスプレイ装置は一般家庭にも広く普及しており、設置された空間周辺の電磁環境を悪化させないこと、特にＡＭラジオ放送受信への電磁波妨害を発生させないことが要求されている。
【００２２】
この要求に応えるために、例えば、駆動パルスの周波数、つまり維持駆動周波数を、時間経過に従って連続的に変動させることにより、放射ノイズのスペクトルが、固有の周波数に集中することを防止することが提案されている（例えば、特許文献１参照）。
【００２３】
【特許文献１】
特開２０００−３３８９３２号公報（第４図）
【００２４】
【発明が解決しようとする課題】
しかしながら、特許文献１に開示された手法では、駆動パルスの周波数（維持駆動周波数）を連続的に変動させる（周波数変調する）ため、以下に説明する不具合を生じていた。
【００２５】
すなわち、維持駆動周波数を時間経過に従って連続的に変動させると、該変動に応じて、該維持駆動周波数の高調波もそれぞれ時間経過に従って変動する。
【００２６】
このため、近傍でＡＭラジオ放送を聴取しようとする場合におけるラジオ放送波の周波数に何れかの高調波が一致する状態と、しない状態とが時間経過に従って繰り返される可能性が高くなる。
【００２７】
つまり、特許文献１の場合、実際の聴取上妨害音の程度が軽減することはあっても、妨害を回避することはできないという欠点があった。
【００２８】
また、例えば日本国内の中波ＡＭラジオ放送は、９ＫＨｚ間隔に周波数が割り当てられており、ＡＭラジオ受信機の受信帯域幅も一般に１０ＫＨｚ以上あるが、特許文献１に開示された手法では、維持駆動周波数を、１つの固定の値を中心とする限られた範囲内で周期的に変動させるものであるため、国内のいずれかの地域で、必ず妨害を与えるラジオ放送が多数存在することになるという欠点もある。
【００２９】
さらには、特許文献１に開示された手法では、周波数変調によって、プラズマディスプレイ装置が放射する各高調波は、その帯域幅が拡がってしまうため、さまざまな周波数で放送されるＡＭラジオに対して、妨害を与える確率がそれだけ高くなってしまうという問題もある。
【００３０】
本発明は、上記のような問題点を解決するためになされたもので、例えばＡＭラジオ放送を受信する場合などにおける電磁波妨害を極力軽減できるプラズマディスプレイ装置及びその電磁波妨害軽減方法を提供することを目的とする。
【００３１】
【課題を解決するための手段】
上記課題を解決するため、本発明のプラズマディスプレイ装置は、プラズマディスプレイパネルを維持駆動させるための駆動パルスを発生する駆動パルス発生手段を備えたプラズマディスプレイ装置において、前記駆動パルス発生手段により発生する駆動パルスの周波数（つまり維持駆動周波数）を、予め定められた複数種類の周波数のうち何れかに設定する制御を行う周波数設定制御手段を備えることを特徴としている。
【００３２】
本発明のプラズマディスプレイ装置においては、前記複数種類の周波数の駆動パルスを前記駆動パルス発生手段によりそれぞれ発生するのに必要な情報を記憶したパルス発生用情報記憶手段を更に備え、前記駆動パルス発生手段は、前記パルス発生用情報記憶手段の記憶内容に基づき、何れかの周波数で駆動パルスを発生することが好ましい。
【００３３】
この場合、前記パルス発生用情報記憶手段には、当該プラズマディスプレイ装置の使用地域に応じてそれぞれ適切な周波数で駆動パルスを発生するのに必要な情報が記憶されていることが好ましい。
【００３４】
さらに、前記適切な周波数は、該当する地域において中波或いは短波ラジオ放送波への電磁波妨害を軽減できるような周波数であることが好ましい。
【００３５】
また、前記適切な周波数は、使用地域を特定するために当該プラズマディスプレイ装置に入力される地域情報と対応付けられ、前記周波数設定制御手段は、前記地域情報が入力された場合に、該入力された地域情報と対応する周波数に設定する制御を行うことがより好ましい。
【００３６】
さらに、前記地域情報の入力操作を行うための入力操作手段を更に備えることが一層好ましい。
【００３７】
ここで、前記入力操作手段は、前記入力操作を無線リモコン操作で行うための無線リモコン入力操作手段を備えて構成されていることが好ましい。
【００３８】
或いは、本発明のプラズマディスプレイ装置においては、駆動パルスの周波数の設定操作を行うための設定操作手段を更に備え、前記周波数設定制御手段は、前記設定操作に応じて周波数の設定制御を行うことも好ましい。
【００３９】
この場合、前記設定操作手段は、前記設定操作を行うための操作スイッチを備えて構成されていること、或いは、前記設定操作を無線リモコン操作で行うための無線リモコン設定操作手段を備えて構成されていることが好ましい。
【００４０】
また、本発明の電磁波妨害軽減方法は、プラズマディスプレイパネルを維持駆動させるための駆動パルスを発生する駆動パルス発生手段を備えたプラズマディスプレイ装置による電磁波妨害を軽減するための方法であって、前記駆動パルス発生手段により発生する駆動パルスの周波数を、予め定められた複数種類の周波数のうち、前記電磁波妨害を軽減可能な周波数に設定することを特徴としている。
【００４１】
本発明の電磁波妨害軽減方法においては、前記駆動パルスの周波数の設定を、該周波数の高調波による中波或いは短波ラジオ放送波への電磁波妨害が軽減されるように行うことが好ましい。
【００４２】
この場合、前記電磁波妨害を軽減できるような周波数を、地域ごとに予め求めておき、該求めておいた周波数の中から、前記プラズマディスプレイ装置の使用地域に応じて適切な周波数を選択して設定することも好ましい。
【００４３】
本発明のプラズマディスプレイ装置及びその電磁波妨害軽減方法によれば、駆動パルス発生手段により発生する駆動パルスの周波数（維持駆動周波数）を、予め定められた複数種類の周波数のうち何れかに設定することができる。従って、電磁波妨害を軽減可能な周波数に設定することによって、すなわち、具体的には、例えば、維持駆動周波数の高調波の分布が中波或いは短波ラジオ放送波への電磁波妨害を軽減できるような分布となるように、維持駆動周波数を設定することによって、プラズマディスプレイ装置による電磁波妨害を軽減することができる。
【００４４】
【発明の実施の形態】
以下、図面を参照して、本発明に係る実施の形態について説明する。
【００４５】
〔第１の実施形態〕
本実施の形態では、本発明に係るプラズマディスプレイ装置の適例として、３電極面放電型のＡＣ型プラズマディスプレイパネルを備えるタイプのプラズマディスプレイ装置についての説明を行うとともに、本発明に係る電磁波妨害軽減方法についての説明を行う。
【００４６】
図１に示すように、本実施形態に係るプラズマディスプレイ装置１は、表示動作を行う３電極面放電型ＡＣ型プラズマディスプレイパネル２０（以下、単にパネル２０）と、このパネル２０を維持駆動させる（つまり表示動作させる）ための駆動装置（後述）と、を備えている。
【００４７】
なお、本実施形態におけるパネル２０の構成は従来技術と同様であるので、上記従来技術の欄で説明したのと同様の構成要素については同一の符号を用いて説明する。
【００４８】
駆動装置は、図１に示すように、パネル２０を駆動させるための駆動パルスを発生する駆動パルス発生回路（駆動パルス発生手段、周波数設定制御手段）２１と、この駆動パルス発生回路２１が駆動パルスを発生するのに必要な情報を記憶した維持駆動周波数テーブル（パルス発生用情報記憶手段）２２と、駆動パルス発生回路２１により発生する駆動パルスの周波数（維持駆動周波数）を複数種類の何れかに切り替える切替操作（駆動パルスの周波数の設定操作）を行うための切替スイッチ（設定操作手段、操作スイッチ）２３と、を備える他に、映像信号処理回路１１、デジタル映像信号処理回路１２、駆動クロック発生回路１３、画像メモリ１４、列電極駆動素子１５、維持電極駆動回路１６、走査電極駆動回路１７、走査電極駆動素子１８を備えていて、書き込み動作と維持放電動作との組合わせでパネル２０を駆動させるようになっている。
【００４９】
このうち書き込み動作では、列電極と走査電極１０２（図６）との間に電圧パルスを印加して書き込み放電を発生させ、表示セル１０３（図６）の走査電極１０２上に壁電荷を形成させて、点灯表示データを書き込む。
【００５０】
他方、維持放電動作では、書き込み動作終了後に、走査電極１０２と維持電極１０１との間に交互に維持パルスを印加し、壁電荷が形成されている表示セル１０３にのみ発光放電を持続させる。
【００５１】
ここで、列電極の駆動は列電極駆動素子１５により行う。さらに、この列電極駆動素子１５は、デジタル映像信号処理回路１２と駆動パルス発生回路２１との協働により制御される。また、走査電極１０２の駆動は走査電極駆動素子１８により行う。さらに、この走査電極駆動素子１８は、駆動パルス発生回路２１の制御下で動作する走査電極駆動回路１７により制御される。また、維持電極１０１の駆動は、駆動パルス発生回路２１の制御下で動作する維持電極駆動回路１６により制御される。
【００５２】
また、駆動クロック発生回路１３は、固定周波数の駆動クロック信号を発生し、この駆動クロック信号をデジタル映像信号処理回路１２と駆動パルス発生回路２１とに供給する。
【００５３】
駆動パルス発生回路（駆動パルス発生手段）２１では、駆動クロック発生回路１３からの駆動クロック信号に基づき各種の駆動制御パルス信号（駆動パルス）を生成し、該生成した駆動制御パルス信号を維持電極駆動回路１６、走査電極駆動回路１７及び列電極駆動素子１５に供給する。
【００５４】
さらに、駆動パルス発生回路２１は、デジタル映像信号処理回路１２との間でタイミング信号の授受を行い、主に列電極駆動素子１５への映像データの送出を制御する。
【００５５】
また、発光放電を行わせる維持駆動は、維持電極駆動回路１６及び走査電極駆動回路１７へ供給される駆動制御パルス信号により実行され、これによって維持駆動周波数が決定する。
【００５６】
ここで、維持駆動周波数テーブル２２に記憶されている情報は、予め定められた複数種類の周波数（維持駆動周波数）の駆動パルスを、駆動パルス発生回路２１によりそれぞれ発生するのに必要な情報である。これらの情報には、より具体的には、例えば、それぞれの維持駆動周波数の駆動パルスを発生するのに必要なタイミングデータが含まれ、各タイミングデータは、それぞれ対応する維持駆動周波数と対応付けられた状態で記憶保持されている。すなわち、維持周波数テーブル２２は、各タイミングデータを、各維持駆動周波数別のテーブルとして保持している。
【００５７】
なお、予め定められた複数種類の維持駆動周波数には、中波ＡＭラジオ放送波への妨害を回避又は最も軽減できるような維持駆動周波数が含まれている。これらの維持駆動周波数は、予め計算により求められていることとする。
【００５８】
ここで、本実施形態の場合、駆動パルス発生回路２１は、例えば、第１維持駆動周波数（２００ＫＨｚ）、第２維持駆動周波数（２１４ＫＨｚ）及び第３維持駆動周波数（１８３ＫＨｚ）の３種類の周波数のうち、何れか１つの周波数で駆動パルスを発生可能になっていて、維持駆動周波数テーブル２２には、これら第１〜第３維持駆動周波数に各々対応するタイミングデータが記憶されている。
【００５９】
また、これら第１〜第３維持駆動周波数のうち、何れの維持駆動周波数で駆動パルスを発生するかは、切替スイッチ２３の切替操作により切り替える（選択する）ことができるようになっている。つまり、周波数設定制御手段としての駆動パルス発生回路２１は、切替スイッチ２３の切替操作（設定操作）に応じて周波数の設定制御を行う。
【００６０】
具体的には、駆動パルス発生回路２１は、切替スイッチ２３の状態に応じて、該状態と対応する何れか１つのタイミングデータを維持駆動周波数テーブル２２より取得し、該取得したタイミングデータに基づいて、該タイミングデータと対応する維持駆動周波数で駆動パルスを生成する。つまり、駆動パルス発生回路２１は、維持駆動周波数テーブル２２の記憶内容に基づき、何れかの維持駆動周波数で駆動パルスを発生する。
【００６１】
より具体的には、駆動パルス発生回路２１は、例えば、切替スイッチ２３の状態が第１維持駆動周波数の選択状態であると判別した場合には、第１維持駆動周波数に対応するタイミングデータを維持駆動周波数テーブル２２より取得し、該取得したタイミングデータに基づいて、第１維持駆動周波数で駆動パルスを生成する。同様に、駆動パルス発生回路２１は、第２維持駆動周波数或いは第３維持駆動周波数の選択状態であると判別した場合には、それぞれ、第２或いは第３維持駆動周波数に対応するタイミングデータを維持駆動周波数テーブル２２より取得し、該取得したタイミングデータに基づいて、第２或いは第３維持駆動周波数で駆動パルスを生成する。
【００６２】
ここで、駆動パルス発生回路２１は、周波数設定制御手段及び駆動パルス発生手段として機能する。すなわち、駆動パルス発生回路２１は、該駆動パルス発生回路２１により発生する駆動パルスの周波数を、予め定められた複数種類の周波数のうち何れかに設定する制御を行う。そして、このように設定された周波数の駆動パルスを、駆動パルス発生回路２１は生成（発生）する。
【００６３】
このように駆動パルス発生回路２１により生成された駆動パルスは、維持電極駆動回路１６及び走査電極駆動回路１７へ供給され、該駆動パルスの維持駆動周波数での維持駆動が実行される。
【００６４】
なお、切替スイッチ２３は、プラズマディスプレイ装置１の外面に露出しているか、或いは、プラズマディスプレイ装置１の外面に配され容易に開閉可能な蓋部（例えば蝶番からなる開閉機構を備える蓋部）の内側に配されていることが好ましく、このような構成とすることにより、プラズマディスプレイ装置１の使用者が容易に切替スイッチ２３を操作することが可能となる。
【００６５】
次に、図２乃至図４を参照して、プラズマディスプレイ装置１の維持駆動で発生する漏洩磁束による中波ＡＭラジオ放送受信（及び聴取）への妨害状態と、維持駆動周波数に応じた妨害状態の変化と、について説明する。
【００６６】
なお、日本国内の全てのＡＭラジオ放送に対して妨害を与え得ないような維持駆動周波数は存在しないので、ここでは国内某地域における主要ＡＭラジオ放送波を例とする。
【００６７】
図２は、プラズマディスプレイ装置の維持駆動を上記第１維持駆動周波数（２００ＫＨｚ）の駆動パルスで実行する際に該プラズマディスプレイ装置の近傍で発生する高調波（波線）と、ＡＭラジオ放送波（実線）との各々スペクトラムの一例を示す。
【００６８】
なお、各放送波のスペクトラムをスペクトラムＨ１（第１放送波）、スペクトラムＨ２（第２放送波）、スペクトラムＨ３（第３放送波）、スペクトラムＨ４（第４放送波）、スペクトラムＨ５（第５放送波）、スペクトラムＨ６（第６放送波）及びスペクトラムＨ７（第７放送波）とする。
【００６９】
他方、第１維持駆動周波数（２００ＫＨｚ）での維持駆動による高調波（維持駆動妨害波）としては、６００ＫＨｚのスペクトラムを有する第３次高調波（図２ではスペクトラムＫ３）、８００ＫＨｚのスペクトラムを有する第４次高調波（図２ではスペクトラムＫ４）、１０００ＫＨｚのスペクトラムを有する第５次高調波（図２ではスペクトラムＫ５）、１２００ＫＨｚのスペクトラムを有する第６次高調波（図２ではスペクトラムＫ６）、１４００ＫＨｚのスペクトラムを有する第７次高調波（図２ではスペクトラムＫ７）、１６００ＫＨｚのスペクトラムを有する第８次高調波（図２ではスペクトラムＫ８）等が発生する。
【００７０】
この場合、第３次高調波のスペクトラムＫ３（６００ＫＨｚ）が第１放送波のスペクトラムＨ１（５９４ＫＨｚ）に重なってしまうため、この第１放送波をプラズマディスプレイ装置１の動作状態時に一般のＡＭラジオで受信及び聴取することは極めて困難となる。
【００７１】
また、１４２２ＫＨｚの第７放送波に同調させても、この第７放送波には第７次高調波のスペクトラムＫ７（１４００ＫＨｚ）が非常に近接しているため、やはり良好な受信状態は得られない。
【００７２】
同様に、８１０ＫＨｚの第３放送波に同調させても、第４次高調波のスペクトラムＫ４（８００ＫＨｚ）が非常に近接しているため良好な受信状態は得られない。
【００７３】
なお、図２の例では、偶数次高調波（・・・第４次高調波、第６次高調波、第８次高調波、・・・）は、奇数次高調波（・・・第３次高調波、第５次高調波、第７次高調波、・・・）に比べてその強度が低い場合を示しているが、偶数次高調波によっても、プラズマディスプレイ装置１の近傍においては、電磁波妨害を受ける可能性がある。
【００７４】
このように、図２の例では３つの放送波（第１、第３及び第７放送波）に対して深刻な電磁波妨害が発生している。
【００７５】
このような場合に、切替スイッチ２３を切替操作し、プラズマディスプレイ装置１の維持駆動周波数を例えば第２維持駆動周波数（２１４ＫＨｚ）に切り替える（設定）することにより、以下に説明するように電磁波妨害を軽減することができる。
【００７６】
すなわち、維持駆動周波数を２１４ＫＨｚに設定した場合には、図３に示すようなスペクトラム分布となる。
【００７７】
つまり、図３に示すように、プラズマディスプレイ装置１の維持駆動周波数の何れの高調波のスペクトラム（スペクトラムＫ１３、Ｋ１４，Ｋ１５，Ｋ１６，Ｋ１７）も、第１〜第７放送波の何れのスペクトラム（スペクトラムＨ１〜Ｈ７）にも重ならず、近接もしなくなる。よって、ＡＭラジオによる放送波の受信及び聴取に対する電磁波妨害が回避される。
【００７８】
このように、本実施形態の電磁波妨害軽減方法では、駆動パルス発生手段としての駆動パルス発生回路２１により発生する駆動パルスの周波数（維持駆動周波数）を、予め定められた複数種類の周波数（第１〜第３維持駆動周波数）のうち、電磁波妨害を回避可能な（軽減可能な）周波数に設定する。
【００７９】
より具体的には、駆動パルスの周波数の設定を、該周波数の高調波による中波ラジオ放送波への電磁波妨害を回避される（軽減される）ように行う。
【００８０】
なお、この時の維持駆動周波数の変化（２００ＫＨｚ→２１４ＫＨｚ）は、わずか＋７％であり、この変化量がプラズマディスプレイ装置１の設計段階で考慮されていれば、駆動動作に対して何ら不利益をもたらさない。
【００８１】
また、本実施形態の場合、切替スイッチ２３を切替操作し、プラズマディスプレイ装置１の維持駆動周波数を例えば第３維持駆動周波数（１８３ＫＨｚ）に設定することによっても、電磁波妨害を軽減することができる。
【００８２】
すなわち、維持駆動周波数を１８３ＫＨｚに設定した場合には、図４に示すようなスペクトラム分布となる。この場合も、やはり、プラズマディスプレイ装置の維持駆動周波数のいずれの高調波のスペクトラム（スペクトラムＫ２３、Ｋ２４，Ｋ２５，Ｋ２６，Ｋ２７、Ｋ２８、Ｋ２９）も、第１〜第７放送波の何れのスペクトラム（スペクトラムＨ１〜Ｈ７）にも重ならず、近接もしなくなる。よって、ＡＭラジオによる放送波の受信及び聴取に対する妨害が回避される。
【００８３】
このように、ＡＭラジオ聴取への妨害を回避する維持駆動周波数は複数（本実施形態の場合、例えば、第２及び第３維持駆動周波数の２つ）設定することができる。なお、第２維持駆動周波数（２１４ＫＨｚ）及び第３維持駆動周波数（１８３ＫＨｚ）は、この地域においてＡＭラジオ放送波への妨害を与えにくいことが予め求められている周波数である。
【００８４】
また、維持駆動周波数テーブル２２には、例えば、図２乃至図４で例示した以外の地域についても、同様に、該例示した以外の地域のＡＭラジオ放送波に対して、妨害を回避又は最も軽減できるような維持駆動周波数で駆動パルスを発生するのに必要な情報（タイミングデータ）が記憶されていることとする。従って、これらタイミングデータの中から、プラズマディスプレイ装置１の使用地域に応じて適切な周波数に対応するタイミングデータを選択して設定することにより、それぞれの使用地域で電磁波妨害を軽減することができる。
【００８５】
すなわち、維持駆動周波数テーブル（パルス発生用情報記憶手段）２２には、プラズマディスプレイ装置１の使用地域に応じてそれぞれ適切な周波数で駆動パルスを発生するのに必要な情報が記憶されている。ここで、適切な周波数とは、例えば、該当する地域において中波ラジオ放送波への電磁波妨害を軽減できるような周波数である。また、電磁波妨害を軽減できるような周波数を、地域ごとに予め求めておき、該求めておいた周波数の中から、プラズマディスプレイ装置１の使用地域に応じて適切な周波数を選択して設定することにより、それぞれの使用地域で電磁波妨害を軽減することができる。
【００８６】
なお、本実施形態でいうところの「地域」には、日本国内の地域に限らず海外における地域も含まれる。すなわち、海外においても同様に、それぞれの地域に最も相応しい維持駆動周波数を選定することが可能である。
【００８７】
以上のように、本実施形態によれば、駆動パルス発生手段により発生する駆動パルスの周波数（維持駆動周波数）を、予め定められた複数種類の周波数のうち何れかに設定することができる。
【００８８】
よって、ＡＭラジオ放送波への妨害を回避する維持周波数を地域別に予め計算により求め、各維持駆動周波数別のテーブルとして維持駆動周波数テーブル２２に保持しておき、このうち最適な１つの維持駆動周波数を切替スイッチ２３の操作により付与される設定状態に従って設定することにより、プラズマディスプレイ装置１の維持駆動で発生する漏洩磁束の全ての高調波による中波ＡＭラジオ放送聴取への電磁波妨害を回避又は最も軽減することができる。
【００８９】
ここで、一般に、ＡＭラジオ放送においては、１つの地域における主要な放送波が複数存在する場合、各放送波の周波数設定は離散的になっていて、放送波の相互干渉を避けることができるようになっている。
【００９０】
このため、上述のように放送波間の隙間の周波数に、プラズマディスプレイ装置１の維持駆動周波数の全ての高調波を割り付けるようにして、維持駆動周波数を設定する（図３或いは図４）ことにより、電磁波妨害を回避又は最も軽減することができる。すなわち、換言すれば、維持駆動周波数の高調波の分布がＡＭラジオ放送波への電磁波妨害を軽減できるような分布となるように維持駆動周波数を設定することによって、電磁波妨害を回避又は最も軽減することができる。さらに換言すれば、プラズマディスプレイ装置１の維持駆動周波数の何れの高調波も放送波と干渉してしまうことが無いように、維持駆動周波数を設定することにより、電磁波妨害を回避又は最も軽減することが可能となる。
【００９１】
また、本実施形態では、上記特許文献１の技術とは異なり、周波数変調をかける訳ではないので、妨害波の帯域幅が拡がってしまうことがなく、さまざまな周波数で放送されるＡＭラジオに対して、妨害を与える確率が高くなってしまうということがない。
【００９２】
なお、本実施形態では、妨害を与える維持周波数の高調波として、奇数次高調波と偶数次高調波との両方を対象としたが、維持駆動の方式や駆動波形によって、奇数次高調波が特に強い場合、あるいは偶数次高調波が特に強い場合があり、このような場合には、偶数次高調波と奇数次高調波との何れか一方のみを妨害波として考慮して、適切な維持駆動周波数（電磁波妨害を軽減できる周波数）の計算を行えばよい。
【００９３】
また、駆動パルス発生回路２１が供給する全ての駆動パルスの変化が許容されるのであれば、維持駆動周波数の切り替えは、駆動クロック１３が発生する駆動クロック信号の周波数を直接変化させることでも実現できる。
【００９４】
さらに、切替スイッチ２３は、上記のような切替操作が可能なものであれば如何なるものであっても良い。すなわち、機械的に切替操作を行うものであっても良いし、電子的に切替操作を行うものであっても良い。
【００９５】
また、上記においては、設定操作手段として切替スイッチ２３を備えるプラズマディスプレイ装置１を例示したが、本発明はこれに限らず、例えば、赤外線リモコン（リモートコントローラ）等の無線リモコン設定操作手段により設定操作を行うことができるように構成されたプラズマディスプレイ装置であっても良い。すなわち、設定操作手段は、設定操作を無線リモコン操作で行うための無線リモコン設定操作手段を備えて構成されていても良い。
【００９６】
〔第２の実施形態〕
図５に示すように、第２の実施形態のプラズマディスプレイ装置５０は、以下に説明する点の他は上記第１の実施形態のプラズマディスプレイ装置１と同様であるので、同様の構成要素には同一の符号を付してその説明を省略することととする。
【００９７】
すなわち、プラズマディスプレイ装置５０は、上記第１の実施形態の場合における切替スイッチ２３を備えていない代わりに、図５に示すように、マイクロプロセッサ３１、記憶メモリ３２、ＲＯＭ３３及び受光部３４を当該プラズマディスプレイ装置５０の本体部に備え、さらに、該本体部とは別体に、無線リモコン（リモートコントローラ）としての赤外線リモコン（入力操作手段、無線リモコン入力操作手段）３５を備えている。
【００９８】
このうち、ＲＯＭ３３は、ＡＭラジオ放送への妨害を回避或いは最小限にできるような維持駆動周波数の、地域毎のデータを記憶保持している。すなわち、プラズマディスプレイ装置５０は、予め定められた複数種類の維持駆動周波数のデータを記憶した周波数記憶手段（ＲＯＭ３３）を備えている。
【００９９】
また、赤外線リモコン３５は、通常のテレビ装置におけるリモコンと同様の機能（チャンネル切替操作機能等）の他に、プラズマディスプレイ装置５０の使用地域を特定するための地域情報の入力機能を備えている。
【０１００】
ここで、地域情報は、例えば、各地域と対応付けて予め定められた地域コード、郵便番号或いは電話の市外局番といったように、地域を特定できる情報であれば何でも良い。
【０１０１】
また、マイクロプロセッサ３１は、受光部３４を介して赤外線リモコン３５からの地域情報の入力を受けると、入力された地域情報を記憶メモリ３２に登録（記憶）する一方で、該地域情報と対応する最適な（適切な）維持駆動周波数のデータをＲＯＭ３３より取得し、このデータを駆動パルス発生回路２１へ送信する。
【０１０２】
このように維持駆動周波数のデータが送信されると、駆動パルス発生回路２１では、該維持駆動周波数と対応するタイミングデータを維持駆動周波数テーブル２２より取得し、以後においては、該取得したタイミングデータに基づいて、該タイミングデータに対応する維持駆動周波数で駆動パルスを発生する。
【０１０３】
ここで、駆動パルス発生回路２１及びマイクロプロセッサ３１により周波数設定制御手段が構成されている。
【０１０４】
なお、地域情報の入力は、例えば、赤外線リモコン３５を用いて設定メニューを起動し、該設定メニューのうちの地域情報入力メニューにおいて、赤外線リモコン３５の操作により地域情報を本体部に入力することによって行われる。
【０１０５】
ここで、設定メニューを起動した際、或いは、地域情報入力メニューを選択した際には、各メニュー画面がプラズマディスプレイ装置５０の表示部に表示されるようになっていて、使用者は、表示部の表示内容に従って設定操作を行うことができる。
【０１０６】
本実施形態の場合、地域情報の入力を、例えば、プラズマディスプレイ装置５０の設置の際に行うことにより、該設置場所における最適な維持駆動周波数に設定することができ、その結果、電磁波妨害を回避或いは最も軽減することができる。
【０１０７】
また、プラズマディスプレイ装置５０の電源を一旦遮断した後で、再び該プラズマディスプレイ装置５０を起動する際には、マイクロプロセッサ３１は登録された地域情報を記憶メモリ３２から読み出し、該読み出した地域情報と対応する維持駆動周波数のデータをＲＯＭ３３より取得し、該取得したデータを駆動パルス発生回路２１へ送信するようになっている。つまり、電源遮断及び再起動を繰り返しても、設定された維持駆動周波数での維持駆動が実行される。
【０１０８】
また、プラズマディスプレイ装置５０を他の地域に移設する場合には、再び赤外線リモコン３５により、改めて地域情報を入力することにより、移設先における最適な維持駆動周波数に設定することができる。
【０１０９】
このように、第２の実施形態によれば、プラズマディスプレイ装置５０の各使用地域において、ＡＭラジオ放送への妨害が最も少なくなる維持駆動周波数を、地域情報を入力するだけで容易に設定することができる。
【０１１０】
また、地域情報として、郵便番号或いは電話の市外局番等のように身近で判りやすい情報を利用する場合には、例えば、プラズマディスプレイ装置５０の取扱説明書に記載の地域コードを調べたりする必要がないので、維持駆動周波数の設定操作が一層容易になる。
【０１１１】
さらに、設定メニューや地域情報入力メニューをプラズマディスプレイ装置５０の表示部に表示させながら地域情報の入力操作を行うことができるので、操作が判りやすく、誤った操作を防ぐこともできる。
【０１１２】
またマイクロプロセッサ３１、記憶メモリ３２、ＲＯＭ３３、受光部３４及び赤外線リモコン３５という構成要素は、プラズマディスプレイ装置においては一般的に装備されることが多いため、上記第１の実施形態における切替スイッチ２３を別途装備するよりも、安価に構成することができる。
【０１１３】
なお、第２の実施形態では、維持駆動周波数テーブル２２の記憶内容はＲＯＭ３３に記憶させることとし、該維持駆動周波数テーブル２２を省略した構成としても良い。このような構成の場合、マイクロプロセッサ３１は、赤外線リモコン３５からの入力に基づき、該入力された地域情報と対応するタイミングデータをＲＯＭ３３より取得し、該取得したタイミングデータを駆動パルス発生回路２１に送信する。そして、駆動パルス発生回路２１は、マイクロプロセッサ３１より送信されたタイミングデータに基づいて、対応する維持駆動周波数で駆動パルスを発生する。
【０１１４】
また、第２の実施形態では、地域情報を入力するための入力操作手段として無線リモコン入力操作手段（例えば赤外線リモコン３５）を例示したため、該赤外線リモコン３５より地域情報を受信するための受光部３４を備える構成を例示したが、これに限らず、入力操作手段は、有線式のリモコン入力操作手段を適用しても良く、この場合には、受光部３４は不要となる。また、入力操作手段としては、赤外線方式以外の無線リモコン入力操作手段を適用しても良い。
【０１１５】
また、第２の実施形態の場合、使用地域において主要ではないＡＭラジオ放送への妨害を回避する必要が生じることもあると考えられる。そこで、本実施形態のプラズマディスプレイ装置５０は、維持駆動周波数の設定を、地域情報の入力に基づいてだけでなく、可能な範囲内で使用者の任意に行うことができるように構成することも好ましい。
【０１１６】
また、上記の各実施形態のプラズマディスプレイ装置１、５０（の本体部）は、一体的に構成されていても良いし、複数のユニットからなる分割構成（例えば、駆動装置とパネル２０とが分割された構成）をなしていても良い。
【０１１７】
さらに、上記の各実施形態においては、電磁波妨害として、中波ラジオ放送波への電磁波妨害のみについての説明を行ったが、短波ラジオ放送波に対しても、同様に、電磁波妨害を軽減することができる。
【０１１８】
【発明の効果】
本発明によれば、駆動パルス発生手段により発生する駆動パルスの周波数（維持駆動周波数）を、予め定められた複数種類の周波数のうち何れかに設定することができる。従って、電磁波妨害を軽減可能な周波数に設定することによって、すなわち、具体的には、例えば、維持駆動周波数の高調波の分布が中波或いは短波ラジオ放送波への電磁波妨害を軽減できるような分布となるように、維持駆動周波数を設定することによって、プラズマディスプレイ装置による電磁波妨害を軽減することができる。
【図面の簡単な説明】
【図１】本発明に係る第１の実施形態のプラズマディスプレイ装置の主要なブロック構成を示すブロック図である。
【図２】第１維持駆動周波数に設定した場合の維持駆動で発生する高調波とＡＭラジオ放送波とのスペクトラム分布を示す図である。
【図３】第２維持駆動周波数に設定した場合の維持駆動で発生する高調波とＡＭラジオ放送波とのスペクトラム分布を示す図である。
【図４】第３維持駆動周波数に設定した場合の維持駆動で発生する高調波とＡＭラジオ放送波とのスペクトラム分布を示す図である。
【図５】本発明に係る第２の実施形態のプラズマディスプレイ装置の主要なブロック構成を示すブロック図である。
【図６】プラズマディスプレイパネルの前面基板に設けられた維持電極及び走査電極等を示す平面図である。
【図７】プラズマディスプレイ装置の概略断面図である。
【符号の説明】
１    プラズマディスプレイ装置
２０  プラズマディスプレイパネル
２１  駆動パルス発生回路（駆動パルス発生手段、周波数設定制御手段）
２２  維持駆動周波数テーブル（パルス発生用情報記憶手段）
２３  切替スイッチ（設定操作手段、操作スイッチ）
５０  プラズマディスプレイ装置
３１  マイクロプロセッサ（周波数設定制御手段）
３５  赤外線リモコン（入力操作手段、無線リモコン入力操作手段）
【図１】
2004333809.tif 000003
【図２】
2004333809.tif 000004
【図３】
2004333809.tif 000005
【図４】
2004333809.tif 000006
【図５】
2004333809.tif 000007
【図６】
2004333809.tif 000008
【図７】
2004333809.tif 000009